(57)【要約】    【課題】  所定数の所定物が連結状態で集合した全数連結集合体を可能な限りそのまま利用して必要数の所定物を効率的に取り揃えることができる所定物取り揃え装置及び方法の提供    【解決手段】  全数連結集合体Ｐａを収納するための全数体収納部Ｓａと、端数連結集合体Ｐｂ又は所定物単体を収納するための端数体収納部Ｓｂを、１種又は２種以上の所定物毎にそれぞれ１又は２以上設ける。切離用載置盤Ｃａと、前後及び横方向に移動し得る縦切断刃Ｃｂ及び横切断刃Ｃｃからなる切離部Ｃを設ける。全数体収納部Ｓａからの全数連結集合体Ｐａの取り出し、端数体収納部Ｓｂからの端数連結集合体Ｐｂ又は所定物単体の取出、端数連結集合体Ｐｂ又は所定物単体の端数体収納部Ｓｂへの収納を行うための上下方向及び横方向に自在に移動し得るチャック体Ｈを設ける。【選択図】      図１
2007050893.tif 000002
【特許請求の範囲】
【請求項１】
所定数の全数の所定物が連結状態で集合した全数連結集合体を収納するための全数体収納部と、前記所定数未満の前記所定物が連結状態で集合した端数連結集合体又は前記所定物単体を収納するための端数体収納部を、１種又は２種以上の所定物毎にそれぞれ１又は２以上有し、
所要の全数体収納部から所要の全数連結集合体を取り出す全数体取出手段と、
所要の端数体収納部から所要の端数連結集合体又は所定物単体を取り出す端数体取出手段と、
取り出した全数連結集合体および／または端数連結集合体から所要数の所定物を切離する切離手段と、
全数連結集合体又は端数連結集合体から所要数の所定物を切離した残りの端数連結集合体又は所定物単体を、その所定物についての端数体収納部に収納するための端数体収納手段を備えてなる所定物取り揃え装置。
【請求項２】
上記全数体収納部に収納されている全数連結集合体の内容を記憶する全数体記憶手段と、
上記端数体収納部に収納されている所定物の数を特定して所定物の種類と共に記憶する所定物数記憶手段と、
特定の所定物の必要数、その所定物についての全数連結集合体における全数、及びその所定物に関して前記所定物数記憶手段に記憶されている端数体収納部に収納されている所定物の数に基づき、全数連結集合体を取り出す所要数と、端数連結集合体又は所定物単体を取り出す必要の有無と、全数連結集合体の１つまたは端数連結集合体から切離する所定物の所要数のうち１又は２又は全てを導出する導出手段を有する請求項１記載の所定物取り揃え装置。
【請求項３】
１つの端数体収納部に端数連結集合体又は所定物単体を１片のみ収納する請求項１又は２記載の所定物取り揃え装置。
【請求項４】
所定数の全数の所定物が連結状態で集合した全数連結集合体を収納するための全数体収納部と、前記所定数未満の前記所定物が連結状態で集合した端数連結集合体又は前記所定物単体を収納するための端数体収納部を、１種又は２種以上の所定物毎にそれぞれ１又は２以上有し、
前記端数体収納部に収納されている所定物の数を特定して所定物の種類と共に記憶する所定物数記憶工程と、
特定の所定物の必要数、その所定物についての全数連結集合体における全数、及びその所定物に関して前記所定物数記憶手段に記憶されている端数体収納部に収納されている所定物の数に基づき、全数連結集合体を取り出す所要数と、端数連結集合体又は所定物単体を取り出す必要の有無と、全数連結集合体の１つまたは端数連結集合体から切離する所定物の所要数のうち１又は２又は全てを導出する導出工程と、
所要の全数体収納部から所要の全数連結集合体を取り出す全数体取出工程と、
所要の端数体収納部から所要の端数連結集合体又は所定物単体を取り出す端数体取出工程と、
取り出した全数連結集合体および／または端数連結集合体のそれぞれから所要数の所定物を切離する切離工程と、
全数連結集合体又は端数連結集合体から所要数の所定物を切離した残りの端数連結集合体又は所定物単体を、その所定物についての端数体収納部に収納するための端数体収納工程を備えてなる所定物取り揃え方法。
【請求項５】
１つの端数体収納部に端数連結集合体又は所定物単体を１片のみ収納する請求項４記載の所定物取り揃え方法。
【請求項６】
コンピュータに請求項４又は５記載の所定物取り揃え方法を実行させるための所定物取り揃えプログラム。
【発明の詳細な説明】
【技術分野】
【０００１】
本発明は、所定数の所定物が連結状態で集合した全数連結集合体から、必要数の所定物を取り揃えるための所定物取り揃え装置及び方法に関する。
【背景技術】
【０００２】
特開２０００−１６８７０２号公報（特許文献１）には、投入された錠剤を予め所定量ごとに分配するための薬剤分包機の錠剤分配器の例が記載されている。また、特開２００４−２０２１４０号公報（特許文献２）には、プラスチックフィルムを薬剤が入るようにドーム状に成型し、アルミ箔を含むラミネートでヒートシールした、ＰＴＰ（Press Through Package）包装が施された薬剤（ＰＴＰ包装薬剤）の裏面を撮像した画像を表示手段に表示することにより、調剤監査を行う薬剤師が、当該画像中の薬剤名称を目視し易く、ＰＴＰ包装薬剤の現物と照合することも可能であり、調剤された個々のＰＴＰ包装薬剤を確実に認識することが可能な調剤監査支援システムが記載されている。
【０００３】
前者は、無包装の錠剤を所定数ずつ分包するために、錠剤を予め所定量ごとに分配する装置に関するものであり、後者は、ＰＴＰ包装薬剤をそのまま調剤に用いた場合の調剤監査に関するものである。
【０００４】
１つの包装に所定数の薬剤が包装されているＰＴＰ包装薬剤は、できるだけそのまま調剤に用い、端数が生じる場合はそれに応じてＰＴＰ包装薬剤を分割して用いることが効率的である。前記後者は調剤監査を支援するものであるが、調剤自体は人手により行われており、この点についての省力化が課題となっていた。
【特許文献１】特開２０００−１６８７０２号公報
【特許文献２】特開２００４−２０２１４０号公報
【発明の開示】
【発明が解決しようとする課題】
【０００５】
本発明は、従来技術に存した上記のような課題に鑑み行われたものであって、その目的とするところは、所定数の所定物が連結状態で集合した全数連結集合体を可能な限りそのまま利用して必要数の所定物を効率的に取り揃えることができる所定物取り揃え装置及び方法を提供することにある。
【課題を解決するための手段】
【０００６】
上記目的を達成する本発明の所定物取り揃え装置は、
所定数の全数の所定物が連結状態で集合した全数連結集合体を収納するための全数体収納部と、前記所定数未満の前記所定物が連結状態で集合した端数連結集合体又は前記所定物単体を収納するための端数体収納部を、１種又は２種以上の所定物毎にそれぞれ１又は２以上有し、
所要の全数体収納部から所要の全数連結集合体を取り出す全数体取出手段と、
所要の端数体収納部から所要の端数連結集合体又は所定物単体を取り出す端数体取出手段と、
取り出した全数連結集合体および／または端数連結集合体から所要数の所定物を切離する切離手段と、
全数連結集合体又は端数連結集合体から所要数の所定物を切離した残りの端数連結集合体又は所定物単体を、その所定物についての端数体収納部に収納するための端数体収納手段を備えてなるものである。
【０００７】
所定数の所定物が連結状態で集合した全数連結集合体が用意されている場合に、必要数の所定物を取り揃えるには、所定物の全数連結集合体をその所定物についての全数体収納部に収納し、所定数未満の前記所定物が連結状態で集合した端数連結集合体又は前記所定物単体が存在する場合は、その所定物についての端数体収納部に収納する。
【０００８】
その上で、
i) 全数体取出手段により、所要の所定物についての全数体収納部から所要の全数連結集合体を取り出す
ii) 端数体取出手段により、所要の所定物についての端数体収納部から所要の端数連結集合体又は所定物単体を取り出す
iii) 切離手段により、取り出した全数連結集合体および／または端数連結集合体から所要数の所定物を切離し、収納手段全数連結集合体又は端数連結集合体から所要数の所定物を切離した残りの端数連結集合体又は所定物単体を、端数体収納手段により、その所定物についての端数体収納部に収納する
のうちi又はii或いは何れか２つ又は３つ全ての組み合わせを実行する。
【０００９】
これにより、全数連結集合体を可能な限りそのまま利用して必要数の所定物を効率的に取り揃えることができる。
【００１０】
上記本発明の所定物取り揃え装置は、
上記全数体収納部に収納されている全数連結集合体の内容を記憶する全数体記憶手段と、
上記端数体収納部に収納されている所定物の数を特定して所定物の種類と共に記憶する所定物数記憶手段と、
特定の所定物の必要数、その所定物についての全数連結集合体における全数、及びその所定物に関して前記所定物数記憶手段に記憶されている端数体収納部に収納されている所定物の数に基づき、全数連結集合体を取り出す所要数と、端数連結集合体又は所定物単体を取り出す必要の有無と、全数連結集合体の１つまたは端数連結集合体から切離する所定物の所要数のうち１又は２又は全てを導出する導出手段を有するものとすることが好ましい。
【００１１】
全数体記憶手段により、全数体収納部に収納されている全数連結集合体の内容を記憶しておくと共に、所定物数記憶手段により、端数体収納部に収納されている所定物の数を特定して記憶しておき、導出手段により、特定の所定物の必要数、その所定物についての全数連結集合体における全数、及びその所定物に関して前記所定物数記憶手段に記憶されている端数体収納部に収納されている所定物の数に基づき、全数連結集合体を取り出す所要数と、端数連結集合体又は所定物単体を取り出す必要の有無と、全数連結集合体の１つまたは端数連結集合体から切離する所定物の所要数のうち１又は２又は全てを導出する。導出された内容に基づき、i又はii或いは何れか２つ又は３つ全ての組み合わせを実行することにより、全数連結集合体を可能な限りそのまま利用して必要数の所定物をより効率的に取り揃えることができる。
【００１２】
本発明の所定物取り揃え方法は、
所定数の全数の所定物が連結状態で集合した全数連結集合体を収納するための全数体収納部と、前記所定数未満の前記所定物が連結状態で集合した端数連結集合体又は前記所定物単体を収納するための端数体収納部を、１種又は２種以上の所定物毎にそれぞれ１又は２以上有し、
前記端数体収納部に収納されている所定物の数を特定して所定物の種類と共に記憶する所定物数記憶工程と、
特定の所定物の必要数、その所定物についての全数連結集合体における全数、及びその所定物に関して前記所定物数記憶手段に記憶されている端数体収納部に収納されている所定物の数に基づき、全数連結集合体を取り出す所要数と、端数連結集合体又は所定物単体を取り出す必要の有無と、全数連結集合体の１つまたは端数連結集合体から切離する所定物の所要数のうち１又は２又は全てを導出する導出工程と、
所要の全数体収納部から所要の全数連結集合体を取り出す全数体取出工程と、
所要の端数体収納部から所要の端数連結集合体又は所定物単体を取り出す端数体取出工程と、
取り出した全数連結集合体および／または端数連結集合体のそれぞれから所要数の所定物を切離する切離工程と、
全数連結集合体又は端数連結集合体から所要数の所定物を切離した残りの端数連結集合体又は所定物単体を、その所定物についての端数体収納部に収納するための端数体収納工程を備えてなるものである。
【００１３】
上記本発明の所定物取り揃え装置及び本発明の所定物取り揃え方法は、１つの端数体収納部に端数連結集合体又は所定物単体を１片のみ収納するものとすることが好ましい。この場合、１つの端数体収納部に収納されている所定物全数の移送を１片の移送により行うことができるので、端数連結集合体又は所定物単体の取り扱いが容易であると共に、収納されている所定物及び移送されている所定物の数の把握を容易且つ確実に行うことができる。
【００１４】
本発明の所定物取り揃えプログラムは、コンピュータに上記所定物取り揃え方法を実行させるためのものである。
【発明の効果】
【００１５】
本発明の所定物取り揃え装置及び方法によれば、所定数の全数の所定物が連結状態で集合した全数連結集合体を収納するための全数体収納部と、前記所定数未満の前記所定物が連結状態で集合した端数連結集合体又は前記所定物単体を収納するための端数体収納部を用いることにより、所定数の所定物が連結状態で集合した全数連結集合体を可能な限りそのまま利用して必要数の所定物を効率的に取り揃えることができる。
【発明を実施するための最良の形態】
【００１６】
本発明の実施の形態を、図面を参照しつつ説明する。
【００１７】
図面は本発明の実施の形態の一例としての薬剤取り揃え装置についてのものであって、図１は薬剤取り揃え装置の概要を示す模式図、図２はＰＴＰ包装薬剤の平面図である。
【００１８】
図２に示すＰＴＰ包装薬剤の全数連結集合体Ｐａは、錠剤が５行２列に包装されてなるものであり、１行毎に切折線Ｂが設けられている。この全数連結集合体Ｐａは、所定数である１０（従って所定数の全数は１０）の錠剤包装物（所定物）が連結状態で集合したものである。勿論、全数連結集合体はこれに限定されるものではない。
【００１９】
なお、所定物としては、薬剤等の物品自体のほか、物品が包装された物品包装体、物品又は物品包装体に連結材又はその他の付随物が付随したもの等を例示することができる。連結状態というのは、所定物が、刃物、レーザー溶断、超音波溶断、切断等の手段により分離可能な状態で、包装材料又はその他の材料を介して連結している状態を意味する。薬剤等の包装体としては、ＰＴＰ包装体（プラスチックフィルムを被包装物品が入るようにドーム状に成型し、アルミ箔を含むラミネートでヒートシールした包装体）に限るものではなく、例えばＳＰ包装体（包装を引き裂いて被包装物品を取り出すヒートシール包装体）等を含む。
【００２０】
端数連結集合体Ｐｂは、所定数未満の所定物が連結状態で集合したものであり、所定物単体というのは、他の所定物と連結していないものである。全数連結集合体Ｐａから８以下の所定物を切離すれば端数連結集合体Ｐｂが残り、９の所定物を切離すれば所定物単体が残る。
【００２１】
収納棚Ｓは、所定物についての全数連結集合体Ｐａ（又はその他の所定物についての全数連結集合体。以下、それらを含めて所定物、全数連結集合体Ｐａという。）を収納するための全数体収納部Ｓａを、上下方向４段の各段毎に３箇所ずつ有すると共に、所定物についての端数連結集合体Ｐｂ又は所定物単体（又はその他の所定物についての端数連結集合体又は所定物単体、以下、その端数連結集合体を含めて端数連結集合体Ｐｂという。）を収納するための端数体収納部Ｓｂを、各全数体収納部Ｓａの上側に有する。端数体収納部Ｓｂには、収納する端数連結集合体Ｐｂ又は所定物単体を所定位置に保持するためのクリップを設けることにより、端数連結集合体Ｐｂ又は所定物単体の取り出しを容易且つ確実なものとすることができる。尤も、全数体収納部及び端数体収納部の形態はこれに限るものではない。例えば、全数体収納部を端数体収納部と同様の態様として多数設けることもできる。また、端数体収納部Ｓｂを各全数体収納部Ｓａの一方側に有し、端数連結集合体Ｐｂ又は所定物単体を縦置きすることもできる。
【００２２】
１つの端数体収納部Ｓｂには、端数連結集合体Ｐｂ又は所定物単体を１片（すなわち、１つの端数連結集合体Ｐｂ又は１つの所定物単体）のみ収納する。２片以上収納可能なものとすることもできるが、１片のみとすることにより、１つの端数体収納部Ｓｂに収納されている所定物全数の移送を１片の移送により行うことができるので、端数連結集合体Ｐｂ又は所定物単体の取り扱いが容易であると共に、収納されている所定物及び移送されている所定物の数の把握を容易且つ確実に行うことができる。
【００２３】
１つの種類の所定物についての全数体収納部Ｓａ及び端数体収納部Ｓｂは１つずつ設けられているが、これに限るものではなく、各所定物について、全数体収納部Ｓａおよび／または端数体収納部Ｓｂ（すなわち、両方又は何れか一方）を２以上設けることもできる。また、ある所定物について全数連結集合体Ｐａが２種以上（例えば所定数が２種以上）存在し、それぞれについて全数体収納部Ｓａと端数体収納部Ｓｂを設けることもあり得る。
【００２４】
全数体収納部Ｓａからの全数連結集合体Ｐａの取り出し、端数体収納部Ｓｂからの端数連結集合体Ｐｂ又は所定物単体の取出、端数連結集合体Ｐｂ又は所定物単体の端数体収納部Ｓｂへの収納は、上下方向及び横方向に自在に移動し得るチャック体Ｈ（全数体取出手段、端数体取出手段、及び端数体収納手段）により行われる。なお、全数体取出手段、端数体取出手段、及び端数体収納手段の一部又は全部を個別に設けることも可能である。
【００２５】
収納棚Ｓの側方に、切離用載置盤Ｃａと、前後及び横方向に移動し得る縦切断刃Ｃｂ及び横切断刃Ｃｃからなる切離部Ｃが設けられている。切離部Ｃは、固定位置とすることもでき、例えば全数連結集合体Ｐａや端数連結集合体Ｐｂ又は所定物単体を取り出す位置の近辺等に、移動して切離を実行するものとすることもできる。また、切離部Ｃを複数設けることもできる。なお、切断手段としては、レーザー溶断、超音波溶断等の手段を適宜採用し得る。
【００２６】
個々の患者用の処方トレーＲは、収納棚Ｓの下方において適宜搬送手段により搬送され、搬送経路の途中で停止して薬剤を受け入れる。
【００２７】
チャック体Ｈの動作、縦切断刃Ｃｂ及び横切断刃Ｃｃの動作、並びに処方トレーＲの停止及び移動等は、制御部Ｕにより制御される。制御部Ｕは、周辺機器等の制御及び各種データの読み書きなどの処理を行うＣＰＵ（中央処理装置）、ＲＡＭ、周辺機器等の制御などのためのプログラム及び各種データが書き込まれたＲＯＭ、並びに周辺機器等との接続のための入出力インターフェイスなど（図示せず。）からなり、必要に応じ周辺機器等と連携して、全数体記憶手段、所定物数記憶手段及び導出手段等の機能を実現する。
【００２８】
全数体記憶手段は、各全数体収納部Ｓａに収納されている全数連結集合体Ｐａの所定物の種類、所定数（全数）等の内容（他に、切離部Ｃにおいて切離する部位についてのデータ、収納されている全数連結集合体の数等を含めることもできる）を記憶する。
【００２９】
所定物数記憶手段は、各端数体収納部Ｓｂに収納されている端数連結集合体Ｐｂ又は所定物単体における所定物の数（この例の場合は端数連結集合体Ｐｂにおける所定物の数）を特定して所定物の種類と共に記憶する。
【００３０】
所定物の数の特定は、全数連結集合体Ｐａにおける所定物の全数又は端数連結集合体Ｐｂにおける所定物の数から、切離した所定物の数を差し引くことにより行うことができる。或いは、各種イメージセンサによる特定等の手段を適宜単独で又は組み合せて使用することができる。
【００３１】
導出手段は、個々の患者の処方箋に基づく特定の所定物（薬剤）の必要数、その所定物についての全数連結集合体Ｐａにおける全数、及びその所定物に関して所定物数記憶手段に記憶されている端数体収納部Ｓｂに収納されている端数連結集合体Ｐｂ又は所定物単体における所定物の数に基づき、
1) 全数連結集合体Ｐａを取り出す所要数と、
2) 端数連結集合体Ｐｂ又は所定物単体を取り出す必要の有無（所定物について端数体収納部Ｓｂを複数有する場合はそれぞれについての必要の有無）と、
3) 全数連結集合体Ｐａの１つまたは端数連結集合体Ｐｂから切離する所定物の所要数
のうち１又は２又は全てを導出する。
【００３２】
これらに基づき、
i) チャック体Ｈにより、所要の所定物についての全数体収納部Ｓａから所要の全数連結集合体Ｐａを取り出す
ii) チャック体Ｈにより、所要の所定物についての端数体収納部Ｓｂから所要の端数連結集合体Ｐｂ又は所定物単体を取り出す
iii) 切離部Ｃにおいて、取り出した全数連結集合体Ｐａの１つまたは端数連結集合体Ｐｂから所要数の所定物を切離し、収納手段全数連結集合体Ｐａ又は端数連結集合体Ｐｂから所要数の所定物を切離した残りの端数連結集合体Ｐｂ又は所定物単体を、チャック体Ｈにより、その所定物についての端数体収納部Ｓｂに収納する
のうちi又はii或いは何れか２つ又は３つ全ての組み合わせを実行する。
【００３３】
チャック体Ｈにより全数体収納部Ｓａから取り出された全数連結集合体Ｐａの１つ又は端数体収納部Ｓｂから取り出された端数連結集合体Ｐｂは、必要に応じ切離用載置盤Ｃａ上に載置され、縦切断刃Ｃｂ及び横切断刃Ｃｃにより患者に処方する所要数の所定物が切離される。好ましくは、全数連結集合体Ｐａの所定端部側から患者に処方する所要数の所定物を切離する。切離は、所要数の所定物同士及び残りの所定物同士が何れも連結を維持して端数連結集合体Ｐｂを構成するように行う。これにより、取り扱いを容易且つ確実におこうことができる。尤も、何れか一方又は両方を、所定物同士の連結を必ずしも維持しないで、或いは全ての所定物同士を分離して行うこともできる。
【００３４】
切離の実行は、切離用載置盤Ｃａ上の所定位置に所定姿勢で全数連結集合体Ｐａ又は端数体収納部Ｓｂを載置し、その全数連結集合体Ｐａ又は端数体収納部Ｓｂについて全数体記憶手段又は所定物数記憶手段等に記憶された切離位置データに基づいて行うことや、各種イメージセンサにより切離部位を特定して行うことや、その他の手段により、又は２以上の手段を併用して切離位置を特定して行うことができる。
【００３５】
所定物を切離する必要のない全数連結集合体Ｐａ及び端数連結集合体Ｐｂは、そのままチャック体Ｈにより処方トレーＲの所定箇所（薬種に応じて分配される）に移送される。所定物を切離する必要のある全数連結集合体Ｐａ及び端数連結集合体Ｐｂは、チャック体Ｈにより切離部Ｃに移送され、切離部Ｃにおいて切離された所要数の所定物が、チャック体Ｈにより処方トレーＲの所定箇所に移送される。なお、各種イメージセンサ又はその他の識別手段を利用して所定物の正誤を確認する手段を設けることもできる。
【００３６】
例えば、所定物の必要数が２１、その所定物の全数連結集合体Ｐａの所定数が１０、その所定物の端数体収納部Ｓｂに収納されている端数連結集合体Ｐｂにおける所定物の数が４である場合、全数体収納部Ｓａから全数連結集合体Ｐａを２個取り出して処方トレーＲへ移送すると共に、端数連結集合体Ｐｂを切離部Ｃに移送して１つの所定物を切離して処方トレーＲへ移送し、残りの端数連結集合体Ｐｂ（所定物数は３）を端数体収納部Ｓｂに収納し、その所定物の数を記憶するものとすることができる。
【００３７】
また例えば、所定物の必要数が２７、その所定物の全数連結集合体Ｐａの所定数が１０、その所定物の端数体収納部Ｓｂに収納されている端数連結集合体Ｐｂにおける所定物の数が４である場合、全数体収納部Ｓａから全数連結集合体Ｐａを２個取り出して処方トレーＲへ移送し、端数体収納部Ｓｂから端数連結集合体Ｐｂを取り出して処方トレーＲへ移送すると共に、全数連結集合体Ｐａ１個を切離部Ｃに移送して３つの所定物を切離して処方トレーＲへ移送し、残りの端数連結集合体Ｐｂ（所定物数は７）を端数体収納部Ｓｂに収納し、その所定物の数を記憶するものとすることができる。
【００３８】
またこの場合、全数体収納部Ｓａから全数連結集合体Ｐａを２個取り出して処方トレーＲへ移送し、全数連結集合体Ｐａ１個を切離部Ｃに移送して７つの所定物を切離して処方トレーＲへ移送し、残りの端数連結集合体Ｐｂ（所定物数は３）を別の端数体収納部Ｓｂに収納し、その所定物の数を別に記憶するものとすることもできる。この場合、次回は一方の端数体収納部Ｓｂに収納されている端数連結集合体Ｐｂ（所定物の数が４）と他方の端数体収納部Ｓｂに収納されている端数連結集合体Ｐｂ（所定物の数が３）を利用することになる。
【００３９】
前者のように端数体収納部Ｓｂに収納されている端数連結集合体Ｐｂを優先して利用することにより、古い所定物が滞留することが防がれる。一方、後者のように取り出し回数が少ないことを優先することにより、効率的な取り揃えが可能となる。
【００４０】
なお、切離する必要のない全数連結集合体Ｐａ及び端数連結集合体Ｐｂ並びに切離された所要数の所定物は、チャック体Ｈに受容容器（図示を略す）を随伴させてその受容容器に一旦受容し、その所定物が所要数揃った後で処方トレーＲへ移送するものとすることにより、移送時間を短縮することもできる。
【図面の簡単な説明】
【００４１】
【図１】薬剤取り揃え装置の概要を示す模式図である。
【図２】ＰＴＰ包装薬剤の平面図である。
【符号の説明】
【００４２】
Ｂ      切折線
Ｃ      切離部
Ｃａ    切離用載置盤
Ｃｂ    縦切断刃
Ｃｃ    横切断刃
Ｈ      チャック体
Ｐａ      全数連結集合体
Ｐｂ    端数連結集合体
Ｒ      処方トレー
Ｓ      収納棚
Ｓａ    全数体収納部
Ｓｂ    端数体収納部
Ｕ      制御部
【図１】
2007050893.tif 000003
【図２】
2007050893.tif 000004